(57)【要約】【課題】塗装剥離作業を中断させることなく、効率よく排水を処理することができる排水処理システム及び排水処理方法を提供する。【解決手段】排水処理システム１００は、塗装剥離作業によって生じた排水を吸引するバキュームユニット３と、排水を貯留する真空タンク１１と、排水に含まれる異物を排水から分離するトロンメル１３及び排水処理機１４と、真空タンク１１とトロンメル１３との間に設けられ、真空タンク１１に貯留される排水をトロンメル１３に連続的に移送するチューブポンプ１２とを備える。排水処理システム１００を用いた排水処理方法では、真空タンク１１に貯留された排水をチューブポンプ１２によって連続的に汲み出して移送するため、塗装剥離作業を中断させることなく、効率よく排水を処理することができる。【選択図】図１
2019013868.tif 000002
【特許請求の範囲】
【請求項１】
ウォータージェットによる塗装剥離作業によって生じた排水を吸引するバキュームユニットと、
前記バキュームユニットに連通し、前記排水を貯留する真空タンクと、
前記排水に含まれる異物を前記排水から分離する固液分離手段と、
前記真空タンクと前記固液分離手段との間に設けられ、前記真空タンクに貯留される前記排水を前記固液分離手段に連続的に移送する移送ポンプとを備える排水処理システム。
【請求項２】
前記移送ポンプはチューブポンプである請求項１に記載の排水処理システム。
【請求項３】
前記固液分離手段はトロンメルを有する、請求項１又は２に記載の排水処理システム。
【請求項４】
ウォータージェットによる塗装剥離作業によって生じた排水をバキュームユニットの吸引によって回収し、前記バキュームユニットに連通する真空タンクに貯留する工程と、
前記真空タンクに貯留された排水を移送ポンプによって連続的に汲み出して移送する工程と、
移送された前記排水から異物を分離する工程とを備える排水処理方法。
【発明の詳細な説明】
【技術分野】
【０００１】
この発明は、排水処理システム及び排水処理方法に関するものであり、特に、ウォータージェットによる塗膜の剥離作業に使用した排水を処理するための排水処理システム及び排水処理方法に関する。
【背景技術】
【０００２】
従来、船舶やタンク等の塗装面の塗膜を剥離するために、ウォータージェットを用いた剥離作業が行われる。具体的には、特許文献１に示すような作業ロボットが塗装された壁面に高圧の水を吹き付けて塗装剥離作業を行う。この時に、吹き付けられた水と剥離された塗膜片が混ざった汚水が発生する。
【０００３】
ここで、このように塗装剥離作業で生じた排水を処理するためには、特許文献２に記載されるように、バキューム装置の吸引力を利用して排水を回収する。そして、回収された排水は、バキューム装置に連通するサイクロンに溜められる。
【先行技術文献】
【特許文献】
【０００４】
【特許文献１】特開２０１１−２１３２９３号公報
【特許文献２】特開２００２−１４３６１１号公報
【発明の概要】
【発明が解決しようとする課題】
【０００５】
しかしながら、従来の排水回収システムでは、サイクロンに排水が一定量以上溜まると塗装剥離作業及び排水回収作業を中断し、サイクロンに貯留された排水を外部に排出したり、サイクロンを交換したり、サイクロンの内部を掃除したりする必要があった。そのため、塗装剥離作業の効率が悪くなってしまっていた。
【０００６】
この発明は、このような問題を解決するためになされ、塗装剥離作業を中断させることなく、効率よく排水を処理することができる排水処理システム及び排水処理方法を提供することを目的とする。
【課題を解決するための手段】
【０００７】
上記の課題を解決するために、この発明に係る排水処理システムは、ウォータージェットによる塗装剥離作業によって生じた排水を吸引するバキュームユニットと、バキュームユニットに連通し、排水を貯留する真空タンクと、排水に含まれる異物を排水から分離する固液分離手段と、真空タンクと固液分離手段との間に設けられ、真空タンクに貯留される排水を固液分離手段に連続的に移送する移送ポンプとを備える。
これにより、真空タンクの中に排水が充満するよりも前に、連続的に排水を処理することができる。
【０００８】
また、この発明に係る排水処理システムの移送ポンプはチューブポンプであってもよい。
【０００９】
さらに、この発明に係る排水処理システムの固液分離手段はトロンメルを有してもよい。
【００１０】
また、この発明に係る排水処理方法は、ウォータージェットによる塗装剥離作業によって生じた排水をバキュームユニットの吸引によって回収し、バキュームユニットに連通する真空タンクに貯留する工程と、真空タンクに貯留された排水を移送ポンプによって連続的に汲み出して移送する工程と、移送された排水から異物を分離する工程とを備えるものである。
【発明の効果】
【００１１】
この発明に係る排水処理システムによれば、塗装剥離作業を中断させることなく、効率よく排水を処理することができる。
【図面の簡単な説明】
【００１２】
【図１】この発明の実施の形態に係る排水処理システムを示す模式図である。
【発明を実施するための形態】
【００１３】
以下、この発明の実施の形態について添付図面に基づいて説明する。
なお、この実施の形態において、排水処理システム１００は、船舶の塗装剥離作業によって生じた排水を処理するものであるとする。
【００１４】
図１に示すように、排水処理システム１００は、真空タンク１１、チューブポンプ１２、トロンメル１３及び排水処理機１４を有している。ここで、真空タンク１１には第一バキュームホース４の一端及び第二バキュームホース５の一端が各々接続されている。そして、第一バキュームホース４の他端は作業ロボット１に接続される。さらに、第二バキュームホース５の他端にはバキュームユニット３が接続される。すなわち、真空タンク１１は第二バキュームホース５を介してバキュームユニット３に連通する。また、作業ロボット１には高圧ホース６を介して高圧ポンプ２が接続される。
なお、バキュームユニット３は、現場に直接載置されるか、又はバキュームカーに搭載された状態で使用されるものとする。
【００１５】
また、真空タンク１１にはチューブポンプ１２が接続される。チューブポンプ１２は、可撓性チューブ内の排水を押圧ローラ等により押圧することにより送水するものである。また、チューブポンプ１２の下流には横型回転式の分別装置であるトロンメル１３が接続される。すなわち、チューブポンプ１２は真空タンク１１とトロンメル１３との間に設けられている。トロンメル１３は排水の中から粒子が比較的大きい固形物を取り出すことができる。さらにトロンメル１３の下流には、粒子がより細かい異物や排水に含まれる重金属を除去する排水処理機１４が設けられる。
なお、チューブポンプ１２は移送ポンプを構成する。また、トロンメル１３及び排水処理機１４は、排水中から異物を分離する固液分離手段１５を構成する。
【００１６】
次に、排水処理システム１００による排水処理方法について説明する。
まず、高圧ポンプ２から作業ロボット１に供給された高圧水がウォータージェットとして噴出されて船舶の塗装面に吹き付け、塗膜の剥離が行われる。作業ロボット１はマグネットの磁力によって船舶の表面に吸着するとともに、遠隔操作によって船舶の外壁面上を適宜移動することができる。この時に発生する排水には塗膜の剥離片等の異物が多く含まれている。そして、バキュームユニット３の吸引により、排水は第一バキュームホース４を介して回収される。
【００１７】
回収された排水は第一バキュームホース４を介して真空タンク１１に流入し、貯留される。また、排水とともに真空タンク１１内に混入した空気はバキュームユニット３の吸引力によって除去されて大気中に放出される。
【００１８】
また、真空タンク１１の内部に貯留される水はチューブポンプ１２によって連続的に汲み出され、移送される。真空タンク１１の貯留水の移送にチューブポンプ１２を用いることにより、真空タンク１１の内部は真空状態を維持される。
【００１９】
そして、チューブポンプ１２によって汲み出された排水は、次にトロンメル１３に流入する。そして、回転駆動するトロンメル１３によって排水から塗膜の剥離片等の異物が固形物として分離され、分離された固形物は産業廃棄物として処理される。
【００２０】
さらに、固形物が分離された後の排水は、排水処理機１４に流入する。排水処理機１４では、排水の中に残留する微細な剥離片を沈殿又は浮上させて分離する。そして、排水処理機１４は、このような沈殿物又は浮上物を脱水して、脱水ケーキと呼ばれる塊とする。脱水ケーキは産業廃棄物として処理される。そしてさらに、このように塗膜の剥離片等の異物が除去された処理水は、清浄な状態となって放流される。
【００２１】
以上より、この実施の形態に係る排水処理システム１００及び排水処理方法では、チューブポンプ１２が真空タンク１１とトロンメル１３との間に設けられ、チューブポンプ１２は、真空タンク１１に貯留される排水をトロンメル１３に連続的に移送する。これにより、真空タンク１１の内部が排水によって充満する前に、排水はチューブポンプ１２を介して連続的にトロンメル１３及び排水処理機１４に送られる。従って、塗装剥離作業及び排水回収作業を中断させることなく、効率よく排水を処理することができる。
【００２２】
また、排水を移送する移送ポンプとしてチューブポンプ１２を使用することにより、真空タンク１１内の真空状態が維持されるため、第一バキュームホース４によって排水を回収する際の吸引力が低下せず、効率よく排水を回収することができる。
【００２３】
また、固液分離手段１５としてトロンメル１３を用いることにより、粒子が比較的大きい異物を排水中から除去することができる。これにより、トロンメル１３の下流に設けられる排水処理機１４において、よりスムーズに排水を処理することができる。
【００２４】
なお、この実施の形態においては、排水処理システム１００は、船舶の塗装剥離作業に使用されるものだが、これに限定されず、タンクや他の設備の外壁の塗装を剥離する場合に用いられてもよい。
また、この実施の形態において、固液分離手段１５はトロンメル１３を有しているが、これに限定されず、トロンメル１３の代わりに他の固液分離装置を用いてもよい。
【００２５】
また、真空タンク１１として使用されるものには、サイクロンも含まれるものとする。真空タンク１１としてサイクロンを使用する場合は、サイクロンの下部に排水貯留用のタンクが設けられ、このタンクからチューブポンプ１２によって排水が移送される。
【符号の説明】
【００２６】
３  バキュームユニット、１１  真空タンク、１２  チューブポンプ（移送ポンプ）、１３  トロンメル（固液分離手段）、１４  排水処理機（固液分離手段）、１５  固液分離手段、１００  排水処理システム。
【図１】
2019013868.tif 000003